(57)【要約】【課題】複数の異なる解像度のサービスのうちから所望の解像度のサービスを容易に選局可能とすること。【解決手段】受信装置は、映像コンテンツを提供する複数のサービス毎に付加された解像度に関する付加情報を抽出する抽出部と、前記抽出部により抽出される前記付加情報に基づいて、前記複数のサービスを、解像度別に選局する選局部と、を備える。【選択図】図２
2017184209.tif 000002
【特許請求の範囲】
【請求項１】
映像コンテンツを提供する複数のサービス毎に付加された解像度に関する付加情報を抽出する抽出部と、
前記抽出部により抽出される前記付加情報に基づいて、前記複数のサービスを、解像度別に選局する選局部と、
を備える受信装置。
【請求項２】
ユーザの操作に基づく操作情報を取得する操作情報取得部、を備え、
前記操作情報取得部は、
解像度を選択するための第１の操作子に対する第１の操作情報と、サービスを選局するための第２の操作子に対する第２の操作情報とを取得し、
前記選局部は、
前記操作情報取得部が取得する前記第１の操作情報に基づいて、選局対象とする解像度を決定し、前記操作情報取得部が取得する前記第２の操作情報に基づいて、決定した解像度の映像コンテンツを提供するサービスのみを選局する、
請求項１に記載の受信装置。
【請求項３】
前記第１の操作子は、上方向または下方向を選択するための上下キーであり、
前記第２の操作子は、左方向または右方向を選択するための左右キーである、
請求項２に記載の受信装置。
【請求項４】
前記第１の操作子及び前記第２の操作子は、自装置に対して制御信号を送信する遠隔操作装置に設けられており、
前記選局部は、
前記遠隔操作装置から送信される制御信号に含まれる前記第１の操作情報及び前記第２の操作情報に基づいて、選局対象とする解像度の決定と、決定した解像度の映像コンテンツを提供するサービスの選局とを行う、
請求項２または請求項３に記載の受信装置。
【請求項５】
前記選局部が選局対象とする解像度がユーザに認識可能なように表示させる制御部、
を備える請求項１から請求項４のいずれか一項に記載の受信装置。
【請求項６】
解像度を選択するための第１の操作子と、
サービスを選局するための第２の操作子と、
を備え、
ユーザの操作に応じて、前記第１の操作子に対する第１の操作情報と、前記第２の操作子に対する第２の操作情報とを送信する、
遠隔操作装置。
【請求項７】
前記第２の操作子に対するユーザの操作により選局可能なサービスの解像度を、ユーザに認識可能なように表示する解像度表示部、
を備える請求項６に記載の遠隔操作装置。
【請求項８】
受信装置の制御方法であって、
映像コンテンツを提供する複数のサービス毎に付加された解像度に関する付加情報を抽出する抽出過程と、
前記抽出過程により抽出される前記付加情報に基づいて、前記複数の放送サービスを、解像度別に選局する選局過程と、
を含む制御方法。
【請求項９】
コンピュータに、
映像コンテンツを提供する複数のサービス毎に付加された解像度に関する付加情報を抽出する抽出手順と、
前記抽出手順により抽出される前記付加情報に基づいて、前記複数の放送サービスを、解像度別に選局する選局手順と、
を実行させるためのプログラム。
【発明の詳細な説明】
【技術分野】
【０００１】
本発明は、受信装置、遠隔操作装置、制御方法、及びプログラムに関する。
【背景技術】
【０００２】
高度ＢＳ（Ｂｒｏａｄｃａｓｔｉｎｇ  Ｓａｔｅｌｌｉｔｅ）デジタル放送では、４Ｋ（水平４０００×垂直２０００程度）や８Ｋ（水平８０００×垂直４０００程度）解像度の放送（以下、「４Ｋ放送」、「８Ｋ放送」ともいう）に加え、２Ｋ（水平２０００×垂直１０００程度）解像度の放送（以下、「２Ｋ放送」ともいう）も含まれる可能性がある。例えば、特許文献１には、同一内容の放送に対して複数の異なる解像度で放送される場合、高解像度のみを選択可能に表示することで、ユーザの混乱などの防止に寄与する技術が開示されている。
【先行技術文献】
【特許文献】
【０００３】
【特許文献１】特開２０１５−５９１７号公報
【発明の概要】
【発明が解決しようとする課題】
【０００４】
しかしながら、同一内容の放送に対して複数の解像度で放送される場合だけではなく、サービス毎に異なる解像度の放送がある場合も考えられる。この場合、例えば受信装置のリモートコントローラ（以下、「リモコン」ともいう）の選局キー（例えば、上下キーまたは左右キー）を用いた選局では、２Ｋ放送、４Ｋ放送、及び８Ｋ放送の違いがわかりにくく、本来視聴するつもりのなかった解像度のサービスを選局してしまう可能性がある。
【０００５】
本発明は上記の点に鑑みてなされたものであり、複数の異なる解像度のサービスのうちから所望の解像度のサービスを容易に選局できる受信装置、遠隔操作装置、制御方法、及びプログラムを提供することを課題とする。
【課題を解決するための手段】
【０００６】
本発明は上記の課題を解決するためになされたものであり、本発明の一態様は、映像コンテンツ（映像情報）を提供する複数のサービス毎に付加された解像度に関する付加情報を抽出する抽出部と、前記抽出部により抽出される前記付加情報に基づいて、前記複数のサービスを、解像度別に選局する選局部と、を備える受信装置である。
【０００７】
また、本発明の一態様の受信装置は、ユーザの操作に基づく操作情報を取得する操作情報取得部、を備え、前記操作情報取得部は、解像度を選択するための第１の操作子に対する第１の操作情報と、サービスを選局するための第２の操作子に対する第２の操作情報とを取得し、前記選局部は、前記操作情報取得部が取得する前記第１の操作情報に基づいて、選局対象とする解像度を決定し、前記操作情報取得部が取得する前記第２の操作情報に基づいて、決定した解像度の映像コンテンツを提供するサービスのみを選局する。
【０００８】
また、本発明の一態様の受信装置において、前記第１の操作子は、上方向または下方向を選択するための上下キーであり、前記第２の操作子は、左方向または右方向を選択するための左右キーである。
【０００９】
また、本発明の一態様の受信装置において、前記第１の操作子及び前記第２の操作子は、自装置に対して制御信号を送信する遠隔操作装置に設けられており、前記選局部は、前記遠隔操作装置から送信される制御信号に含まれる前記第１の操作情報及び前記第２の操作情報に基づいて、選局対象とする解像度の決定と、決定した解像度の映像コンテンツを提供するサービスの選局とを行う。
【００１０】
また、本発明の一態様の受信装置は、前記選局部が選局対象とする解像度がユーザに認識可能なように表示させる制御部、を備える。
【００１１】
また、本発明の一態様は、解像度を選択するための第１の操作子と、サービスを選局するための第２の操作子とを備え、ユーザの操作に応じて、前記第１の操作子に対する第１の操作情報と、前記第２の操作子に対する第２の操作情報とを送信する、遠隔操作装置である。
【００１２】
また、本発明の一態様の遠隔操作装置は、前記第２の操作子に対するユーザの操作により選局可能なサービスの解像度を、ユーザに認識可能なように表示する解像度表示部、を備える。
【００１３】
また、本発明の一態様は、受信装置の制御方法であって、映像コンテンツを提供する複数のサービス毎に付加された解像度に関する付加情報を抽出する抽出過程と、前記抽出過程により抽出される前記付加情報に基づいて、前記複数の放送サービスを、解像度別に選局する選局過程と、を含む制御方法である。
【００１４】
また、本発明の一態様は、コンピュータに、映像コンテンツを提供する複数のサービス毎に付加された解像度に関する付加情報を抽出する抽出手順と、前記抽出手順により抽出される前記付加情報に基づいて、前記複数の放送サービスを、解像度別に選局する選局手順と、を実行させるためのプログラムである。
【発明の効果】
【００１５】
本発明によれば、複数の異なる解像度のサービスのうちから所望の解像度のサービスを容易に選局できる。
【図面の簡単な説明】
【００１６】
【図１】実施形態に係る受信装置の概略構成を示すブロック図。
【図２】実施形態に係るシステム制御部の機能構成の一例を示す図。
【図３】ＭＭＴ−ＳＩの構成例を示す図。
【図４】ＭＨ−サービスリスト記述子の例を示す図。
【図５】サービス形式種別の例を示す図。
【図６】サービス形式種別と解像度の設定例を示す図。
【図７】各サービスの解像度を識別する例を示す図。
【図８】リモコンの操作キーの例を示す図。
【図９】実施形態に係る選局操作の操作方法の一例を説明する図。
【図１０】リモコンの操作キーの別の例を示す図。
【図１１】インジケータランプの表示例を示す図。
【図１２】インジケータランプの別の表示例を示す図。
【図１３】実施形態に係る選局操作制御処理の一例を示すフローチャート。
【発明を実施するための形態】
【００１７】
以下、図面を参照して、本発明の一実施形態について説明する。
（受信装置の構成）
図１は、本実施形態に係る受信装置１０の概略構成を示すブロック図である。
受信装置１０は、受信部１０１と、復号部１０２と、分離部１０３と、ＳＩ解析部１０４と、デコード部１０５と、出力制御部１０６と、表示部１０７と、スピーカ１０８と、通信ＩＦ（インターフェース）１１０と、メモリ１１１と、外部ＩＦ制御部１２０と、システム制御部１３０とを備えている。また、デコード部１０５は、映像デコード部１０５１と、音声デコード部１０５２とを備えている。受信部１０１は、映像コンテンツ（映像情報）が含まれる番組データが多重化されたデジタル放送の放送波を受信する。コンテンツとは、データ放送番組ないしデータ放送番組と併用される双方向通信を通して配信される内容を構成するデータ群である。特に、放送で配信される場合は、そのデータ群を配信する番組内のストリームの集合を指す。一つのデータ放送番組は、複数のコンテンツから構成されうる。番組データには、その番組の映像データ及び音声データが含まれる。通信ＩＦ１１０は、ネットワークに通信接続する。なお、デジタル放送は、高度ＢＳ放送であっても現行放送（衛星／地上デジタル放送）であってもよい。
【００１８】
例えば、デジタル放送のメディアトランスポート方式としては、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ（一般社団法人  電波産業会））  ＳＴＤ−６０規格に記載のＭＭＴ（ＭＰＥＧ  Ｍｅｄｉａ  Ｔｒａｎｓｐｏｒｔ）方式が採用されている場合について説明する。高度ＢＳ放送では、番組データ及び構成情報等の多重化データがＭＭＴＰ（ＭＭＴ  Ｐｒｏｔｏｃｏｌ）パケット化されて伝送される。構成情報は、放送番組や放送に伴って提供されるサービスを構成するための情報であり、ＭＭＴ−ＳＩ（ＭＭＴ−Ｓｙｓｔｅｍ  Ｉｎｆｏｒｍａｔｉｏｎ）、ＴＬＶ（Ｔｙｐｅ  Ｌｅｎｇｔｈ  Ｖａｌｕｅ）−ＳＩなどの制御情報が含まれる。ＭＭＴ−ＳＩは、後述する放送事業者が設定するメッセージとテーブルと記述子とにより記述される。ＴＬＶ−ＳＩとは、ＩＰパケットの多重に関する制御情報であり、選局のための情報やＩＰアドレスとサービスの対応情報を提供する。なお、現行放送では、例えば、ＭＰＥＧ−２  ＳＹＳＴＥＭに規定されるＴＳ（Ｔｒａｎｓｐｏｒｔ  Ｓｔｒｅａｍ）により、番組データ及び構成情報等の多重化データがＴＳパケット化されて伝送される。これらは、通信を用いる場合も同様である。
【００１９】
また、本実施形態において、デジタル放送を提供する放送サービス（以下、単に「サービス」ともいう）の少なくとも一部は、放送番組の少なくとも一部についてサイマル放送を行う。サイマル放送とは、同じ時間帯に同じ番組を複数の異なる解像度で放送する同時並行放送（例えば、２Ｋ放送と４Ｋ又は８Ｋ放送との同時並行放送）のことをいう。なお、２Ｋ放送、４Ｋ放送、及び８Ｋ放送は、それぞれ２Ｋ映像、４Ｋ映像、及び８Ｋ映像のコンテンツの放送である。なお、２Ｋ映像、４Ｋ映像、及び８Ｋ映像は、映像の水平方向の画素数に基づく表現である。
【００２０】
受信部１０１は、伝送されるデジタル放送の放送波をアンテナ１１により受信する。また、受信部１０１は、受信した受信信号をシステム制御部１３０から入力される選局信号で指定されるチャンネルの周波数でベースバンド信号にダウンコンバートし、復調することにより、多重化データに変換する。そして、受信部１０１は、変換した多重化データを復号部１０２に出力する。
【００２１】
復号部１０２は、受信部１０１から入力された多重化データ（暗号化されている）を、送信側で用いられた方式に対応する復号方式（例えば、ＡＥＳ（Ａｄｖａｎｃｅｄ  Ｅｎｃｒｙｐｔｉｏｎ  Ｓｔａｎｄａｒｄ）やＭＵＬＴＩ２）で復号し、復号された多重化データを生成する。そして、復号部１０２は、生成した多重化データを分離部１０３に出力する。
【００２２】
分離部１０３は、復号部１０２から入力された復号後の多重化データから番組データ及び構成情報に分離する。さらに、分離部１０３は、番組データから映像データと音声データとを抽出する。分離部１０３は、抽出した映像データを映像デコード部１０５１に出力する。また、分離部１０３は、抽出した音声データを音声デコード部１０５２に出力する。また、分離部１０３は、構成情報をＳＩ解析部１０４へ出力する。
【００２３】
ＳＩ解析部１０４は、構成情報に含まれるＭＭＴ−ＳＩ、ＴＬＶ−ＳＩなどの制御情報を解析する。例えば、ＳＩ解析部１０４は、ＭＭＴ−ＳＩに記述されている情報に基づいてサービス毎の解像度に関する付加情報（例えば、「最大解像度情報」）を解析し、サービス毎の最大解像度情報を解析結果としてシステム制御部１３０へ出力する。最大解像度情報は、そのサービスで放送される番組の映像コンテンツの最大解像度を示す情報である。ＭＭＴ−ＳＩから最大解像度情報を得る具体例については後述する。
【００２４】
映像デコード部１０５１は、分離部１０３から映像データが入力される。入力された映像データは、所定の映像符号化方式（例えば、ＨＥＶＣ、ＭＰＥＧ−２  ビデオ）で符号化されたデータである。映像デコード部１０５１は、入力された映像データを、符号化に用いられた符号化方式と対応する復号方式で復号し、復号した映像データを生成する。そして、映像デコード部１０５１は、生成した映像データを出力制御部１０６に出力する。
【００２５】
音声デコード部１０５２は、分離部１０３から音声データが入力される。入力された音声データは、所定の音声符号化方式（例えば、ＭＰＥＧ−４  オーディオ）で符号化されたデータである。音声デコード部１０５２は、入力された音声データを、符号化に用いられた符号化方式と対応する復号方式で復号し、復号した音声データを生成する。そして、音声デコード部１０５２は、復号した音声データを出力制御部１０６に出力する。
【００２６】
出力制御部１０６は、映像デコード部１０５１から入力された映像データに基づく映像信号を表示部１０７へ出力する。表示部１０７は、映像デコード部１０５１から入力された映像データに基づく映像を表示する。例えば、表示部１０７は、液晶ディスプレイ、有機ＥＬ（Ｅｌｅｃｔｒｏｌｕｍｉｎｅｓｃｅｎｃｅ）ディスプレイ、等を含んで構成される。また、出力制御部１０６は、音声デコード部１０５２から入力された音声データに基づく音声信号をスピーカ１０８へ出力する。
【００２７】
メモリ１１１は、各種のデータやプログラムを記憶する記憶媒体である。例えば、メモリ１１１は、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、又はそれらの任意の組み合わせを含んで構成される。
【００２８】
外部ＩＦ制御部１２０は、外部機器とのインターフェースを行う。例えば、外部ＩＦ制御部１２０は、リモコン２０からの制御信号を取得する。リモコン２０は、受信装置１０を遠隔操作するためのリモートコントローラ（遠隔操作装置）であり、ユーザの操作に応じて操作情報が含まれる制御信号を受信装置１０へ送信する。外部ＩＦ制御部１２０は、取得した制御信号に含まれる操作情報をシステム制御部１３０に出力する。
【００２９】
システム制御部１３０は、ＣＰＵ等を含んで構成され、メモリ１１１に格納されたソフトウェア（プログラム）を実行することにより、受信装置１０の種々の動作を制御する。
図２は、本実施形態に係るシステム制御部１３０の機能構成の一例を示す図である。システム制御部１３０は、抽出部１３１と、操作情報取得部１３２と、選局部１３３と、表示制御部１３４とを備えている。
【００３０】
抽出部１３１は、複数のサービス毎に付加された解像度に関する情報を抽出する。例えば、抽出部１３１は、ＳＩ解析部１０４からシステム制御部１３０へ入力される解析結果に基づいて、サービス毎の最大解像度情報を取得する。以下、図３から図７を参照して、ＳＩ解析部１０４がＭＭＴ−ＳＩから最大解像度情報を得る方法についての一例を具体的に説明する。
【００３１】
ＭＭＴ−ＳＩには、メッセージ、テーブル、記述子が含まれている。メッセージは、テーブルや記述子を格納する。テーブルは、特定の情報属性を持つ。記述子は、テーブルのより詳細な情報を示す。これらメッセージ、テーブル、記述子は、３階層の構造となっている。メッセージには、Ｐａｃｋａｇｅ  Ａｃｃｅｓｓ（ＰＡ）メッセージ、Ｍ２セクションメッセージ、ＣＡメッセージ、Ｍ２短セクションメッセージ、データ伝送メッセージ、及び事業者が設定するメッセージが含まれる。
【００３２】
図３は、ＭＭＴ−ＳＩの構成例を示す図である。ＭＭＴ−ＳＩに含まれるＭ２セクションメッセージには、ＭＨ−ＢＩＴ（ＭＨ−Ｂｒｏａｄｃａｓｔｅｒ  Ｉｎｆｏｒｍａｔｉｏｎ  Ｔａｂｌｅ）が含まれている。ＭＨ−ＢＩＴは、ネットワーク上に存在するブロードキャスタの情報を提示するために用いられるテーブルである。このＭＨ−ＢＩＴには、ＭＨ−サービスリスト記述子が含まれている。
【００３３】
図４は、ＭＨ−サービスリスト記述子の例を示す図である。図示するように、ＭＨ−サービスリスト記述子（ＭＨ−Ｓｅｒｖｉｃｅ＿Ｌｉｓｔ＿Ｄｅｓｃｒｉｐｔｏｒ）には、記述子タグ（ｄｅｓｃｒｉｐｔｏｒ＿ｔａｇ）、記述子長（ｄｅｓｃｒｉｐｔｏｒ＿ｌｅｎｇｔｈ）、サービス識別（ｓｅｒｖｉｃｅ＿ｉｄ）、サービス形式種別（ｓｅｒｖｉｃｅ＿ｔｙｐｅ）などが含まれる。サービス識別は、１６ビットのフィールドで、そのＴＬＶストリーム内の情報サービスをユニークに識別する。サービス形式種別は、８ビットのフィールドで、図５に示す表に従ってサービスの種類を示す。
【００３４】
図５は、サービス形式種別の例を示す図である。０ｘ００から０ｘＦＦで表されるサービス形式種別のそれぞれに意味が定義されている。例えば、ＡＲＩＢ  ＳＴＤ-Ｂ１０の規定でリザーブとなっている０ｘＡ２〜０ｘＡ３、０ｘＡ５〜０ｘＡＤなどを解像度の設定用として利用できる。
【００３５】
図６は、サービス形式種別と解像度の設定例を示す図である。図示する例では、サービス形式種別（ｓｅｒｖｉｃｅ＿ｔｙｐｅ）０ｘＡ５、０ｘＡ６、０ｘＡ７、それぞれ２Ｋ、４Ｋ、８Ｋの解像度を意味するものとして設定されている。図４に示すＭＨ−サービスリスト記述子において、サービス形式種別に０ｘＡ５、０ｘＡ６、０ｘＡ７のいずれかが最大解像度情報として記述されて伝送されることで、受信装置１０は、各サービスの最大解像度情報を抽出し、各サービスの解像度を識別することができる。
【００３６】
図７は、各サービスの解像度を識別する例を示す図である。図示する例では、ＭＨ−サービスリスト記述子において、サービス識別（ｓｅｒｖｉｃｅ＿ｉｄ）０ｘＡＢＣＤのサービス形式種別（ｓｅｒｖｉｃｅ＿ｔｙｐｅ）が０ｘＡ５であるため、図５に示す解像度設定に基づいて０ｘＡＢＣＤのサービスの解像度（ｖｉｄｅｏ  ｒｅｓｏｌｕｔｉｏｎ）は２Ｋであると識別される。また、サービス識別（ｓｅｒｖｉｃｅ＿ｉｄ）０ｘＢＣＤＡと０ｘＣＤＡＢのサービス形式種別（ｓｅｒｖｉｃｅ＿ｔｙｐｅ）が０ｘＡ６であるため、０ｘＢＣＤＡと０ｘＣＤＡＢのサービスの解像度（ｖｉｄｅｏ  ｒｅｓｏｌｕｔｉｏｎ）は４Ｋであると識別される。また、サービス識別（ｓｅｒｖｉｃｅ＿ｉｄ）０ｘＤＡＢＣのサービス形式種別（ｓｅｒｖｉｃｅ＿ｔｙｐｅ）が０ｘＡ７であるため、０ｘＤＡＢＣのサービスの解像度（ｖｉｄｅｏ  ｒｅｓｏｌｕｔｉｏｎ）は８Ｋであると識別される。
【００３７】
ＳＩ解析部１０４は、上述したようにサービス毎のＭＨ−サービスリスト記述子に記述されている情報に基づいてサービス毎の解像度を解析し、最大解像度情報を得る。抽出部１３１は、ＳＩ解析部１０４が解析した解析結果に基づいて、サービス毎の最大解像度情報を抽出する。
【００３８】
図２に戻り、操作情報取得部１３２は、ユーザの操作に基づく操作情報を取得する。例えば、操作情報取得部１３２は、リモコン２０から送信される制御信号に含まれる操作情報を、外部ＩＦ制御部１２０を介して取得する。
【００３９】
選局部１３３は、操作情報取得部１３２が取得する操作情報（例えば、選局に関する操作情報）に基づいて、サービスを選局する選局信号（例えば、放送方式、チャンネル、番組などを示す情報が含まれる信号）を受信部１０１へ出力する。受信部１０１は、選局部１３３から入力される選局信号に基づいて、受信した受信信号を復調する。また、選局部１３３は、抽出部１３１により抽出される最大解像度情報に基づいて、複数のサービスを解像度別に選局可能に制御する。次に、複数のサービスを解像度別に選局可能な例を具体的に説明する。
【００４０】
図８は、リモコン２０の操作キーの例を示す図である。図示するように、リモコン２０において、上方向または下方向を選択するための上下キーに、解像度を選択するための操作子としての機能が割り当てられている。一方、左方向または右方向を選択するための左右キーに、サービスを選局するための操作子としての機能が割り当てられている。リモコン２０は、ユーザの操作に応じて、上下キーに対する操作情報と、左右キーに対する操作情報とを受信装置１０へ送信する。選局部１３３は、リモコン２０から外部ＩＦ制御部１２０が取得する、解像度を選択するための上下キーに対する操作情報と、サービスを選局するための左右キーに対する操作情報とを、操作情報取得部１３２を介して取得する。例えば、選局部１３３は、上下キーに対する操作情報に基づいて選局対象とする解像度を決定し、左右キーに対する操作情報に基づいて、決定した解像度のサービスのみを選局するように制御する。このように、選局部１３３は、例えば、リモコン２０から送信される制御信号に含まれる上下キーに対する操作情報及び前記左右キーに対する操作情報に基づいて、選局対象とする解像度の決定と、決定した解像度のみのサービスの選局とを行うことができる。
【００４１】
図９は、本実施形態に係る選局操作の操作方法の一例を説明する図である。例えば、リモコン２０において、選局対象とする解像度を選択するための上下キーに対する操作が行われると、上下キーに対する操作情報に基づいて、選択解像度が「ＡＬＬ」、「８Ｋ」、「４Ｋ」、「２Ｋ」の順に遷移する。「ＡＬＬ」は、全ての解像度（ここでは、８Ｋ、４Ｋ、及び２Ｋ）が選択されていることを示す。
【００４２】
例えば、選択解像度が「ＡＬＬ」の状態で、下キー（ＤＯＷＮ）に対して操作がされると、選択解像度が「ＡＬＬ」から「８Ｋ」に遷移する。図７に示す例では「８Ｋ」のサービスが０ｘＤＡＢＣのみであるため、０ｘＤＡＢＣのサービスが選局される。選択解像度が「８Ｋ」の状態で、さらに下キーに対して操作がされると、選択解像度が「８Ｋ」から「４Ｋ」に遷移する。図７に示す例では、「４Ｋ」のサービスが０ｘＢＣＤＡと０ｘＣＤＡＢの２つであるため、この状態では、この２つのサービスが左右キーで選局可能となる。選択解像度が「４Ｋ」の状態で、さらに下キーに対して操作がされると、選択解像度が「４Ｋ」から「２Ｋ」に遷移する。図７に示す例では「２Ｋ」のサービスが０ｘＡＢＣＤのみであるため、０ｘＡＢＣＤのサービスが選局される。選択解像度が「２Ｋ」の状態で、さらに下キーに対して操作がされると、選択解像度が「２Ｋ」から「ＡＬＬ」に遷移する（戻る）。図７に示す例では、選択解像度が「ＡＬＬ」の場合には０ｘＡＢＣＤ、０ｘＢＣＤＡと０ｘＣＤＡＢ、０ｘＤＡＢＣの４つのサービスとなるため、この状態では、この４つのサービスが左右キーで選局可能となる。下キーに対する操作が続けば、「ＡＬＬ」、「８Ｋ」、「４Ｋ」、「２Ｋ」の順に繰り返し遷移する。一方、上キー（ＵＰ）に対する操作では、反対方向に、「ＡＬＬ」、「２Ｋ」、「４Ｋ」、「８Ｋ」の順に繰り返し遷移する。
【００４３】
なお、上述の例では、上下キーに解像度を選択するための操作子としての機能が割り当てられ、左右キーにサービスを選局するための操作子としての機能が割り当てられている例を説明したが、キーの割り当てはこれに限られるものではない。図１０は、リモコン２０の操作キーの別の例を示す図である。例えば、図１０に示すように、リモコン２０の左右キーに解像度を選択するための操作子としての機能が割り当てられ、上下キーにサービスを選局するための操作子としての機能が割り当てられてもよい。
【００４４】
また、表示制御部１３４は、選局対象とする解像度がユーザに認識可能なように表示させてもよい。例えば、表示制御部１３４は、選局部１３３から選択解像度を示す情報を取得し、選択された解像度を表示する解像度表示部として受信装置１０に設けられている不図示のインジケータランプを、選択解像度に応じて点灯させてもよい。
【００４５】
図１１は、インジケータランプの表示例を示す図である。図示する例では、「ＡＬＬ」、「２Ｋ」、「４Ｋ」、「８Ｋ」のそれぞれに、個別に点灯と非点灯の制御が可能なインジケータランプが上下方向に並んで配置されている。並び順は、上下キーに対する操作での遷移順に対応している。ここでは、選択解像度が「ＡＬＬ」である場合の例を示しており、「ＡＬＬ」のインジケータランプのみが点灯している。
【００４６】
なお、インジケータランプは、左右方向に並んで配置されてもよい。図１２は、インジケータランプが左右方向に並んで配置されている場合の表示例を示す図である。例えば、図１０に示す操作キーの例のように、左右キーで解像度を選択する場合には、インジケータランプも左右方向に並んで配置されている方が、ユーザは直観的に操作が可能である。
【００４７】
また、インジケータランプは、リモコン２０に設けられてもよい。例えば、リモコン２０は、リモコン２０に設けられたインジケータランプの点灯を、上下キーなどの操作に応じて制御してもよい。また、受信装置１０とリモコン２０とが双方向に通信可能な場合には、リモコン２０は、受信装置１０から選択解像度を示す情報を取得し、取得した情報に基づいてリモコン２０に設けられたインジケータランプの点灯を制御してもよい。
【００４８】
なお、選択された解像度を表示する解像度表示部は、インジケータランプに限られるものではなく、受信装置１０またはリモコン２０がディスプレイ（表示部）を備えている場合には、そのディスプレイであってもよい。例えば、受信装置１０またはリモコン２０がディスプレイを備えている場合には、選択解像度を示す文字やアイコンなどをディスプレイに表示させてもよい。
【００４９】
このように、受信装置１０またはリモコン２０は、選局対象とする解像度、即ち選局する操作により選局可能なサービスの解像度を、ユーザに認識可能なように表示することができる。
【００５０】
（選局操作制御処理の動作）
次に、図１３を参照して、ユーザの操作に応じて解像度別にサービスを選局する選局操作制御処理の動作について説明する。
図１３は、本実施形態に係る選局操作制御処理の一例を示すフローチャートである。ここでは、図８に示すように、上下キーを解像度の選択、左右キーを選局とした場合処理を例にしている。
【００５１】
（ステップＳ１０１）受信装置１０は、上下キーによって選択されている現在の解像度を判断する。例えば、受信装置１０は、直前に選択された解像度を示す情報を保持しておくことで、現在の解像度を判断する。
【００５２】
（ステップＳ１０２）受信装置１０は、リモコン２０から取得する操作情報に基づいて、リモコン２０において操作キーが押下されたか否かを判定する。操作キーが押下されていないと判定された場合（ＮＯ）、受信装置１０は、ステップＳ１０１に処理を戻す。一方、操作キーが押下されたと判定された場合（ＹＥＳ）、受信装置１０は、ステップＳ１０３の処理に進む。
【００５３】
（ステップＳ１０３）受信装置１０は、押下されたリモコン２０の操作キーが上下（ＵＰ／ＤＯＷＮ）キーであるか否かを判定する。押下されたリモコン２０の操作キーが上下（ＵＰ／ＤＯＷＮ）キーであると判定された場合（ＹＥＳ）、受信装置１０は、ステップＳ１０４の処理に進む。一方、押下されたリモコン２０の操作キーが上下（ＵＰ／ＤＯＷＮ）キーではないと判定された場合（ＮＯ）、受信装置１０は、ステップＳ１０９の処理に進む。
【００５４】
（ステップＳ１０４）受信装置１０は、押下されたキーが上下（ＵＰ／ＤＯＷＮ）キーのいずれかを判定する。押下されたキーが上（ＵＰ）キーであると判定された場合、受信装置１０は、ステップＳ１０５の処理に進む。一方、押下されたキーが下（ＤＯＷＮ）キーであると判定された場合、受信装置１０は、ステップＳ１０７の処理に進む。
【００５５】
（ステップＳ１０５）受信装置１０は、ユーザが上（ＵＰ）キーを押した回数「Ｘ」を計数し、ステップＳ１０５の処理に進む。
（ステップＳ１０６）受信装置１０は、現在の解像度より「Ｘ」上方向に進めた解像度（上キー操作での解像度の遷移順で、現在の解像度より「Ｘ」進めた解像度）を選択し、ステップＳ１０１の処理に戻す。
【００５６】
（ステップＳ１０７）受信装置１０は、ユーザが下（ＤＯＷＮ）キーを押した回数「Ｘ」を計数し、ステップＳ１０８の処理に進む。
（ステップＳ１０８）受信装置１０は、現在の解像度より「Ｘ」下方向に進めた解像度（下キー操作での解像度の遷移順で、現在の解像度より「Ｘ」進めた解像度）を選択し、ステップＳ１０１の処理に戻す。
【００５７】
（ステップＳ１０９）ステップＳ１０３において、押下されたリモコン２０の操作キーが上下（ＵＰ／ＤＯＷＮ）キーではないと判定された場合（ＮＯ）、受信装置１０は、押下されたリモコン２０の操作キーが左右キーであるか否かを判定する。押下されたリモコン２０の操作キーが左右キーであると判定された場合（ＹＥＳ）、受信装置１０は、ステップＳ１１０の処理に進む。一方、押下されたリモコン２０の操作キーが左右キーではないと判定された場合（ＮＯ）、受信装置１０は、ステップＳ１２０の処理に進む。
【００５８】
（ステップＳ１１０）受信装置１０は、選択中の解像度と同じ解像度の中でサービスを選局し、ステップＳ１０１の処理に戻す。
（ステップＳ１２０）受信装置１０は、リモコン２０において、上下キー及び左右キー以外の他の操作キーに関する処理を実行し、ステップＳ１０１の処理に戻す。
【００５９】
以上説明したように、本実施形態に係る受信装置１０は、抽出部１３１と、選局部１３３とを備えている。抽出部１３１は、映像コンテンツを提供する複数のサービス毎に付加された解像度に関する付加情報（例えば、最大解像度情報）を抽出する。選局部１３３は、抽出部１３１により抽出される上記付加情報に基づいて、複数のサービスを、解像度別に選局する。
これにより、受信装置１０は、複数の異なる解像度のサービスが提供される場合であっても解像度別に選局可能であるため、所望の解像度のサービスを容易に選択できる。
【００６０】
例えば、受信装置１０は、ユーザの操作に基づく操作情報を取得する操作情報取得部１３２を備えている。操作情報取得部１３２は、解像度を選択するための第１の操作子（例えば、上下キー）に対する第１の操作情報）と、サービスを選局するための第２の操作子（例えば、左右キー）に対する第２の操作情報とを取得する。選局部１３３は、操作情報取得部１３２が取得する第１の操作情報に基づいて、選局対象とする解像度を決定し、操作情報取得部１３２が取得する第２の操作情報に基づいて、決定した解像度の映像コンテンツを提供するサービスのみを選局する。
これにより、受信装置１０は、複数の異なる解像度のサービスのうちから所望の解像度のサービスを簡単な操作で選択できる。
【００６１】
例えば、第１の操作子（例えば、上下キー）及び第２の操作子（例えば、左右キー）は、受信装置１０に対して制御信号を送信するリモコン２０（遠隔操作装置）に設けられている。そして、選局部１３３は、リモコン２０から送信される制御信号に含まれる第１の操作情報及び第２の操作情報に基づいて、選局対象とする解像度の決定と、決定した解像度の映像コンテンツを提供するサービスの選局とを行う。
これにより、受信装置１０は、ユーザがリモコン２０で簡単な操作を行うことにより、複数の異なる解像度のサービスのうちから所望の解像度のサービスを選局できる。
【００６２】
なお、受信装置１０は、選局部１３３が選局対象とする解像度がユーザに認識可能なように表示させる表示制御部１３４を備えている。
これにより、受信装置１０は、いずれの解像度の選局が可能な状態であるかを操作中にインジケータランプなどで表示できるため、ユーザが選局する際の操作性を向上できる。
【００６３】
また、本実施形態に係るリモコン２０（遠隔操作装置）は、解像度を選択するための第１の操作子（例えば、上下キー）と、サービスを選局するための第２の操作子（例えば、左右キー）とを備えている。そして、リモコン２０は、ユーザの操作に応じて、第１の操作子に対する第１の操作情報と、第２の操作子に対する第２の操作情報とを送信する。
これにより、リモコン２０は、複数の異なる解像度のサービスを受信装置１０が受信可能な場合であっても解像度別に選局可能であるため、所望の解像度のサービスを容易に選択できる。
【００６４】
なお、リモコン２０（遠隔操作装置）は、第２の操作子（例えば、左右キー）に対するユーザの操作により選局可能なサービスの解像度を、ユーザに認識可能なように表示するインジケータランプ（解像度表示部の一例）を備えた構成としてもよい。
これにより、リモコン２０は、いずれの解像度の選局が可能な状態であるかを操作中にインジケータランプなどで表示できるため、ユーザが選局する際の操作性を向上できる。
【００６５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００６６】
例えば、上記実施形態では、操作キーは、受信装置１０にあってもよい。解像度を選択するための第１の操作子（例えば、上下キー）と、サービスを選局するための第２の操作子（例えば、左右キー）とがリモコン２０に備えられている例を説明したが、これに限られるものではなく、受信装置１０に備えられていてもよい。また、解像度を選択するための第１の操作子（例えば、上下キー）と、サービスを選局するための第２の操作子（例えば、左右キー）とは、受信装置１０及びリモコン２０の両方に備えられていてもよい。
【００６７】
また、上記実施形態では、受信装置１０がテレビジョン装置である例を説明したが、受信装置１０は、放送信号を受信する機能を備えたテレビジョン放送の録画機（ハードディスクレコーダ等）、パーソナルコンピュータ、多機能携帯電話機（いわゆる、スマートフォンを含む）、タブレット端末装置等であってもよい。
【００６８】
なお、上述した実施形態における受信装置１０の一部の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、受信装置１０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００６９】
また、受信装置１０の少なくとも一部を、ＬＳＩ（Ｌａｒｇｅ  Ｓｃａｌｅ  Ｉｎｔｅｇｒａｔｉｏｎ）等の集積回路として実現してもよい。また、本実施形態の受信装置１０内の各構成要素は個別にプロセッサ化してもよいし、少なくとも一部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００７０】
１０  受信装置、１０１  受信部、１０２  復号部、１０３  分離部、１０４  ＳＩ解析部、１０５  デコード部、１０５１  映像デコード部、１０５２  音声デコード部、１０６  出力制御部、１０７  表示部、１０８  スピーカ、１１０  通信ＩＦ、１１１  メモリ、１２０  外部ＩＦ制御部、１３０  システム制御部、１３１  抽出部、１３２  操作情報取得部、１３３  選局部、１３４  表示制御部
【図１】
2017184209.tif 000003
【図２】
2017184209.tif 000004
【図３】
2017184209.tif 000005
【図４】
2017184209.tif 000006
【図５】
2017184209.tif 000007
【図６】
2017184209.tif 000008
【図７】
2017184209.tif 000009
【図８】
2017184209.tif 000010
【図９】
2017184209.tif 000011
【図１０】
2017184209.tif 000012
【図１１】
2017184209.tif 000013
【図１２】
2017184209.tif 000014
【図１３】
2017184209.tif 000015